(57)【特許請求の範囲】
【請求項１】
手のひらカバー部分と、該手のひらカバー部分から延びる4つの指前面部分とを含む前面部材であって、該4つの指前面部分が、人差し指前面部分、最も外側の指前面部分、および中間にある2つの指前面部分を含み、かつ天然皮革または合成皮革材料から形成される、前面部材；ならびに
該前面部材と係合して手の甲を覆う背面部材であって、
手のひらカバー部分の反対側に位置する本体背面部分と、
該本体背面部分から延び、かつ該4つの指前面部分の反対側に位置する4つの指背面部分であって、該4つの指背面部分が、人差し指背面部分、最も外側の指背面部分、および中間にある2つの指背面部分を含み、かつ該本体背面部分および4つの指背面部分がメッシュ材料から作られる、4つの指背面部分と、
該背面部材のメッシュ材料に融合し、かつ背面部材の指関節カバー部分にほぼ沿って延びる第一の支持部材であって、融合される背面部材のメッシュ材料よりも伸縮しない材料から形成される、第一の支持部材と、
該背面部材のメッシュ材料に融合し、かつ最も外側の指背面部分の基底領域から最も外側の指背面部分の反対側にある背面部材の側部に近接する領域まで延びる第二の支持部材であって、融合される背面部材のメッシュ材料よりも伸縮しない材料から形成される、第二の支持部材とを含み、
該第一の支持部材と該第二の支持部材とが部分的に重複する、背面部材
を含む、グローブ。
【請求項２】
前記前面部材と少なくとも部分的に係合する親指エレメントであって、該親指エレメントの内側部分が天然皮革または合成皮革材料から形成され、かつ該親指エレメントの外側部分がメッシュ材料から形成される、親指エレメントをさらに含む、請求項1記載のグローブ。
【請求項３】
前記前面部材および前記背面部材の少なくとも1つと係合する閉鎖系であって、該閉鎖系が該前面部材および該背面部材の少なくとも1つと係合したフラップを含み、該フラップが面ファスナーの第一の部分を含み、かつ該面ファスナーの第二の部分が背面部材と係合している、閉鎖系をさらに含む、請求項1記載のグローブ。
【請求項４】
前記第一の支持部材の材料が熱可塑性ポリウレタン材料である、請求項1記載のグローブ。
【請求項５】
前記第二の支持部材の材料が熱可塑性ポリウレタン材料である、請求項1記載のグローブ。
【請求項６】
前記中間にある指前面部分の1つが、前記中間にある第一の指背面部分の1つと、第一のガセット部材により第一の側部で、かつ第二のガセット部材により第二の側部で係合する、請求項1記載のグローブ。
【請求項７】
人差し指前面部分の外側が、人差し指背面部分の外側と係合しており、
人差し指前面部分の内側が、人差し指背面部分の内側と、第一のガセット部材を介して係合しており、
中間にある第一の指前面部分の第一の側部が、中間にある第一の指背面部分の第一の側部と、第二のガセット部材により係合しており、
中間にある第一の指前面部分の第二の側部が、中間にある第一の指背面部分の第二の側部と、第三のガセット部材により係合しており、
中間にある第二の指前面部分の第一の側部が、中間にある第二の指背面部分の第一の側部と、第四のガセット部材により係合しており、
中間にある第二の指前面部分の第二の側部が、中間にある第二の指背面部分の第二の側部と、第五のガセット部材により係合しており、
最も外側の指前面部分の内側が、最も外側の指背面部分の内側と、第六のガセット部材により係合しており、かつ
最も外側の指前面部分の外側が、最も外側の指背面部分の外側と係合している、
請求項1記載のグローブ。
【請求項８】
前記人差し指前面部分の外側が前記人差し指背面部分の外側と直接係合し、かつ前記最も外側の指前面部分の外側が前記最も外側の指背面部分の外側と直接係合している、請求項1記載のグローブ。
【請求項９】
前記第二の支持部材が、背面部材の第一の端部から背面部材の反対側にある第二の端部にかけて少なくとも一本の切れ目のない経路を形成する、請求項1記載のグローブ。
【請求項１０】
前記第一の支持部材が、背面部材の第一の端部から背面部材の反対側にある第二の端部にかけて少なくとも一本の切れ目のない経路を形成する、請求項1記載のグローブ。
【請求項１１】
前記第一の支持部材と前記第二の支持部材の少なくとも一方が、融合される前記本体背面部分のメッシュ材料の50％未満の伸縮性を有する、請求項1記載のグローブ。
【請求項１２】
前記第一の支持部材および前記第二の支持部材が、本体背面部分と最も外側の指背面部分との接合部付近の領域で部分的に重複している、請求項1記載のグローブ。
【請求項１３】
手のひらカバー部分と、該手のひらカバー部分から延びる複数の指前面部分とを含む前面部材；ならびに
該前面部材と係合して手の甲を覆う背面部材であって、
手のひらカバー部分の反対側に位置する本体背面部分と、
該本体背面部分から延びる複数の指背面部分であって、該本体背面部分および複数の指背面部分がメッシュ材料から作られる、複数の指背面部分と、
該背面部材のメッシュ材料に融合し、かつ背面部材の第一の側部から背面部材の反対側にある第二の側部まで延びる第一の支持部材であって、融合される背面部材のメッシュ材料よりも伸縮しない材料から形成される、第一の支持部材と、
該背面部材のメッシュ材料に融合し、かつ背面部材の第一の側部から背面部材の反対側にある第二の側部まで延びる第二の支持部材であって、融合される背面部材のメッシュ材料よりも伸縮しない材料から形成される、第二の支持部材とを含み、
該第一の支持部材と該第二の支持部材とが部分的に重複する、背面部材
を含む、グローブ。
【請求項１４】
前記第一の支持部材の材料が熱可塑性ポリウレタン材料である、請求項13記載のグローブ。
【請求項１５】
前記第二の支持部材の材料が熱可塑性ポリウレタン材料である、請求項13記載のグローブ。
【請求項１６】
前記第二の支持部材が、背面部材の第一の端部から背面部材の反対側にある第二の端部にかけて少なくとも一本の切れ目のない経路を形成する、請求項13記載のグローブ。
【請求項１７】
前記第一の支持部材が、背面部材の第一の端部から背面部材の反対側にある第二の端部にかけて少なくとも一本の切れ目のない経路を形成する、請求項13記載のグローブ。
【請求項１８】
前記第一の支持部材と前記第二の支持部材の少なくとも一方が、融合される前記本体背面部分のメッシュ材料の50％未満の伸縮性を有する、請求項13記載のグローブ。
【請求項１９】
前記第一の支持部材および前記第二の支持部材が、本体背面部分と最も外側の指背面部分との接合部付近の領域で部分的に重複している、請求項13記載のグローブ。
【請求項２０】
手のひらカバー部分と、該手のひらカバー部分から延びる複数の指前面部分とを含む前面部材； 
該前面部材と係合して手の甲を覆う背面部材であって、
手のひらカバー部分の反対側に位置する本体背面部分と、
該本体背面部分から延びる複数の指背面部分であって、該本体背面部分および複数の指背面部分がメッシュ材料から作られる、複数の指背面部分と、
該背面部材のメッシュ材料に融合し、かつ背面部材の第一の側部から背面部材の反対側にある第二の側部まで延びる第一の支持部材であって、融合される背面部材のメッシュ材料よりも伸縮しない材料から形成される、第一の支持部材と、
該背面部材のメッシュ材料に融合し、かつ背面部材の第一の側部から背面部材の反対側にある第二の側部まで延びる第二の支持部材であって、背面部材のメッシュ材料よりも伸縮しない材料から形成される、第二の支持部材とを含み、
該第一の支持部材と該第二の支持部材とが部分的に重複する、背面部材；ならびに
融合している前面部材と少なくとも部分的に係合している親指エレメント
から本質的になる、グローブ。
【請求項２１】
前記親指エレメントの外側部分がメッシュ材料から形成される、請求項20記載のグローブ。
【請求項２２】
前記第一の支持部材の材料が熱可塑性ポリウレタン材料である、請求項20記載のグローブ。
【請求項２３】
前記第二の支持部材の材料が熱可塑性ポリウレタン材料である、請求項20記載のグローブ。
【請求項２４】
前記指前面部分の少なくとも1つが前記指背面部分の少なくとも1つと、第一のガセット部材により第一の側部で、かつ第二のガセット部材により第二の側部で係合する、請求項20記載のグローブ。
【請求項２５】
前記第二の支持部材が、背面部材の第一の端部から背面部材の反対側にある第二の端部にかけて少なくとも一本の切れ目のない経路を形成する、請求項20記載のグローブ。
【請求項２６】
前記第一の支持部材が、背面部材の第一の端部から背面部材の反対側にある第二の端部にかけて少なくとも一本の切れ目のない経路を形成する、請求項20記載のグローブ。
【請求項２７】
前記第一の支持部材と前記第二の支持部材の少なくとも一方が、融合される前記本体背面部分のメッシュ材料の50％未満の伸縮性を有する、請求項20記載のグローブ。
【請求項２８】
前記第一の支持部材および前記第二の支持部材が、本体背面部分と最も外側の指背面部分との接合部付近の領域で部分的に重複している、請求項20記載のグローブ。
【請求項２９】
手のひらカバー部分と、該手のひらカバー部分から延びる複数の指前面部分とを含む前面部材； 
該前面部材と係合して手の甲を覆う背面部材であって、
手のひらカバー部分の反対側に位置する本体背面部分と、
該本体背面部分から延びる複数の指背面部分であって、該本体背面部分および複数の指背面部分がメッシュ材料から作られる、複数の指背面部分と、
該背面部材のメッシュ材料に融合し、かつ背面部材の第一の側部から背面部材の反対側にある第二の側部まで延びる第一の支持部材であって、融合される背面部材のメッシュ材料よりも伸縮しない材料から形成される、第一の支持部材と、
該背面部材のメッシュ材料に融合し、かつ背面部材の第一の側部から背面部材の反対側にある第二の側部まで延びる第二の支持部材であって、融合される背面部材のメッシュ材料よりも伸縮しない材料から形成される、第二の支持部材とを含み、
該第一の支持部材と該第二の支持部材とが部分的に重複する、背面部材； 
該前面部材と少なくとも部分的に係合している親指エレメント；ならびに
該前面部材および該背面部材の少なくとも1つと係合している閉鎖系
から本質的になる、グローブ。
【請求項３０】
前記閉鎖系が、前記前面部材および前記背面部材の少なくとも1つと係合した面ファスナーの第一の部分と、該背面部材と係合した面ファスナーの第二の部分とを含むフラップを含む、請求項29記載のグローブ。
【請求項３１】
前記親指エレメントの外側部分がメッシュ材料から形成される、請求項29記載のグローブ。
【請求項３２】
前記第一の支持部材の材料が熱可塑性ポリウレタン材料である、請求項29記載のグローブ。
【請求項３３】
前記第二の支持部材の材料が熱可塑性ポリウレタン材料である、請求項29記載のグローブ。
【請求項３４】
前記第二の支持部材が、背面部材の第一の端部から背面部材の反対側にある第二の端部にかけて少なくとも一本の切れ目のない経路を形成する、請求項29記載のグローブ。
【請求項３５】
前記第一の支持部材が、背面部材の第一の端部から背面部材の反対側にある第二の端部にかけて少なくとも一本の切れ目のない経路を形成する、請求項29記載のグローブ。
【請求項３６】
前記第一の支持部材と前記第二の支持部材の少なくとも一方が、融合される前記本体背面部分のメッシュ材料の50％未満の伸縮性を有する、請求項29記載のグローブ。
【請求項３７】
前記第一の支持部材および前記第二の支持部材が、本体背面部分と最も外側の指背面部分との接合部付近の領域で部分的に重複している、請求項29記載のグローブ。
【請求項３８】
手のひらカバー部分と、該手のひらカバー部分から延びる複数の指前面部分とを含む前面部材； 
該前面部材と係合して手の甲を覆う背面部材であって、
手のひらカバー部分の反対側に位置する本体背面部分と、
該本体背面部分から延びる複数の指背面部分であって、該本体背面部分および複数の指背面部分がメッシュ材料から作られる、複数の指背面部分と、
該背面部材のメッシュ材料に融合し、かつ背面部材の第一の側部から背面部材の反対側にある第二の側部まで延びる第一の支持部材であって、融合される背面部材のメッシュ材料よりも伸縮しない材料から形成される、第一の支持部材と、
該背面部材のメッシュ材料に融合し、かつ背面部材の第一の側部から背面部材の反対側にある第二の側部まで延びる第二の支持部材であって、融合される背面部材のメッシュ材料よりも伸縮しない材料から形成される、第二の支持部材とを含み、
該第一の支持部材と該第二の支持部材とが部分的に重複する、背面部材； 
前面部材と少なくとも部分的に係合している親指エレメント；ならびに
手首開口領域に沿って延びる、該前面部材および該背面部材の少なくとも1つと係合した少なくとも1つ弾性構成要素
から本質的になる、グローブ。
【請求項３９】
前記親指エレメントの外側部分がメッシュ材料から形成される、請求項38記載のグローブ。
【請求項４０】
前記第一の支持部材の材料が熱可塑性ポリウレタン材料である、請求項38記載のグローブ。
【請求項４１】
前記第二の支持部材の材料が熱可塑性ポリウレタン材料である、請求項38記載のグローブ。
【請求項４２】
前記第二の支持部材が、背面部材の第一の端部から背面部材の反対側にある第二の端部にかけて少なくとも一本の切れ目のない経路を形成する、請求項38記載のグローブ。
【請求項４３】
前記第一の支持部材が、背面部材の第一の端部から背面部材の反対側にある第二の端部にかけて少なくとも一本の切れ目のない経路を形成する、請求項38記載のグローブ。
【請求項４４】
前記第一の支持部材と前記第二の支持部材の少なくとも一方が、融合される前記本体背面部分のメッシュ材料の50％未満の伸縮性を有する、請求項38記載のグローブ。
【請求項４５】
前記第一の支持部材および前記第二の支持部材が、本体背面部分と最も外側の指背面部分との接合部付近の領域で部分的に重複している、請求項38記載のグローブ。
【請求項４６】
第一の支持部材を、グローブの背面部材の本体背面部分のメッシュ材料に融合する工程であって、該背面部材が、本体背面部分から延びるメッシュ材料から作られた複数の指背面部分をさらに含み、かつ該第一の支持部材が、融合される背面部材のメッシュ材料よりも伸縮しない材料から作られている、工程；
第二の支持部材を、背面部材の本体背面部分のメッシュ材料に融合する工程であって、該第二の支持部材が、融合される背面部材のメッシュ材料よりも伸縮しない材料から作られており、該第一の支持部材と該第二の支持部材とが部分的に重複するように、背面部材と係合されている、工程；および
該背面部材を、手のひらカバー部分と該手のひらカバー部分から延びる複数の指前面部分とを含むグローブの前面部材と係合させる工程
を含む、グローブの形成方法。
【請求項４７】
親指エレメントを前記前面部材と少なくとも部分的に係合させる工程であって、該親指エレメントの内側部分が天然皮革材料または合成皮革材料から形成され、かつ該親指エレメントの外側部分がメッシュ材料から形成される、工程
をさらに含む、請求項46記載の方法。
【請求項４８】
(a)面ファスナーの第一の部分を含むフラップを前記前面部材および前記背面部材の少なくとも1つと係合させることと、(b)該面ファスナーの第二の部分を背面部材と係合させることとを含む、閉鎖系を前記前面部材および前記背面部材の少なくとも1つと係合させる工程をさらに含む、請求項46記載の方法。
【請求項４９】
前記第一の支持部材の材料が熱可塑性ポリウレタン材料である、請求項46記載の方法。
【請求項５０】
前記第二の支持部材の材料が熱可塑性ポリウレタン材料である、請求項46記載の方法。
【請求項５１】
1つ以上の弾性構成要素を、前記前面部材および前記背面部材の少なくとも1つの手首領域に沿って係合させる工程
をさらに含む、請求項46記載の方法。
【請求項５２】
前記第二の支持部材が、背面部材の第一の端部から背面部材の反対側にある第二の端部にかけて少なくとも一本の切れ目のない経路を形成する、請求項46記載の方法。
【請求項５３】
前記第一の支持部材が、背面部材の第一の端部から背面部材の反対側にある第二の端部にかけて少なくとも一本の切れ目のない経路を形成する、請求項46記載の方法。
【請求項５４】
前記第一の支持部材および前記第二の支持部材の少なくとも一方が、融合される前記本体背面部分のメッシュ材料の50％未満の伸縮性を有する、請求項46記載の方法。
【請求項５５】
前記第一の支持部材および前記第二の支持部材が、それらが本体背面部分と最も外側の指背面部分との接合部付近の領域で部分的に重複するように、背面部材と係合する、請求項46記載の方法。
【請求項５６】
前記第一の支持部材および前記第二の支持部材が、熱および圧力をかける単一の工程で、背面部材と係合する、請求項46記載の方法。
【請求項５７】
手のひらの少なくとも一部を覆う前面部材；ならびに
該前面部材と係合した背面部材であって、
背面部材の指関節カバー部分の少なくとも一部に沿って位置し、かつメッシュ材料から作られた本体背面部分と、
本体背面部分のメッシュ材料に融合した支持部材であって、融合される本体背面部分のメッシュ材料よりも伸縮しない材料から形成され、かつ背面部材の指関節カバー部分に沿って延びる第一の部分と、背面部材の最も外側の指関節の部分から、該背面部材の最も外側の指関節の部分の反対側にある背面部材の側部に近接する領域に向かって延びる第二の部分とを含み、該支持部材の該第一の部分と該第二の部分とが、互いにおよびメッシュ材料に融合している個別の支持材料ピースから作られる、支持部材とを含む、背面部材
を含む、手を包むデバイス。
【請求項５８】
前記支持部材の前記第一の部分および前記第二の部分を形成する前記個別のピースが、前記背面部材の最も外側の指関節の部分で部分的に重複する、請求項57記載の手を包むデバイス。
【発明の詳細な説明】
【技術分野】
【０００１】
関連出願データ
本出願は、2012年4月19日に出願された「Lightweight and Breathable Glove Structure」という表題の米国特許出願第13/450,819号に基づいて優先権の恩典を主張する。この先行出願は、参照によりその全体が本明細書に組み入れられる。
【０００２】
発明の分野
本発明は、グローブおよびその他の手を包むデバイス(hand-receiving device)の分野に関する。一部の例において、本発明の局面は、優れたグリップおよび支持(例えば、ゴルフ、野球、ソフトボール、サッカー、重量挙げおよびその他のスポーツにおける使用、ならびに/または作業用グローブとしての使用)は提供したままで、非常に軽量かつ通気性のある運動用グローブに関する。
【背景技術】
【０００３】
背景
スポーツ競技およびその他のアクティビティ(例えば、ガーデニング、庭仕事等)は、幅広い範囲の温度および湿度条件下で行われ得る。そのような運動用アクティビティ(ゴルフ、バッティング等)に参加する場合および/またはそのような作業(例えば、シャベルを使う、掃く、掘る等)を行う場合、手を保護および/または手にしている用具に対してグリップを改善するためにグローブをはめたい場合が多い。しかし、これらのアクティビティのためのグローブは、内部に熱を閉じ込め、着用者の肌から出る汗の蒸発を妨げたり阻止したりするために、非常に熱くなり得る。このため、グローブのつけ心地が悪くなり得る。しかし、グローブをはめないと、グリップを損ない、および/または肌を刺激したりもしくは傷つけたりする(例えば、まめ、切り傷、擦りむき等を引き起こす)危険があり得る。従って、十分な通気性および快適性も提供しつつ優れたグリップおよび支持を提供する、例えば、温暖および高温な条件下において使用するための軽量かつ通気性のあるグローブが当該分野で必要とされている。
【発明の概要】
【０００４】
以下の詳細な説明においてさらに記載する本発明に関するいくつかの基本概念を簡潔に紹介するために本概要を提供する。本概要は、本発明の鍵となる特徴または本質的な特徴を特定することを意図しない。
【０００５】
本発明の一部の例による手を包むデバイスは：(a)手のひらの少なくとも一部を覆うための前面部材；および(b)該前面部材と係合した背面部材を含み得る。この例示の背面部材は：(a)背面部材の指関節カバー部分の少なくとも一部に沿って配置され、メッシュ材料から作られた本体背面部分、および(b)該本体背面部分のメッシュ材料に融合した支持部材を含み、該支持部材が、融合される本体背面部分のメッシュ材料よりも伸縮しない材料から形成され得る。支持部材は、背面部材の指関節カバー部分に沿って延びる第一の部分、および最も外側の指関節の部分から最も外側の指関節の部分の反対側にある背面部材の側部に近接する領域に向かって延びる第二の部分を形成する1つ以上のピースを含み得る。本発明による手を包むデバイスは、以下により詳細に記載する様々な構造および特徴のいずれも含み得る。
【０００６】
本発明の少なくとも一部の例によるグローブ構造は、例えば：
(a)手のひらカバー部分、および該手のひらカバー部分から延びる最大4つの指前面部分(例えば、該最大4つの指前面部分は、人差し指前面部分、最も外側の指前面部分、および中間にある2つの指前面部分の1つ以上を含む)を含む前面部材；
(b)前面部材と係合して手の甲を覆う、メッシュ材料(例えば、伸縮性メッシュ)から作られた背面部材であって、
(i)手のひらカバー部分の反対側に位置する本体背面部分と、
(ii)該本体背面部分から延びる最大4つの指背面部分(例えば、最大4つの指背面部分は、人差し指背面部分、最も外側の指背面部分、および中間にある2つの指背面部分の1つ以上を含む)と、
(iii)背面部材のメッシュ材料に融合し、任意に背面部材の指関節カバー部分にほぼ沿って延びる第一の支持部材であって、融合される背面部材のメッシュ材料よりも伸縮しない材料(例えば、熱可塑性ポリウレタン材料)から形成される、第一の支持部材と、
(iv)背面部材のメッシュ材料に融合し、任意に最も外側の指背面部分の基底領域から最も外側の指背面部分の反対側にある背面部材の側部に近接する領域まで延びる第二の支持部材であって、融合される背面部材のメッシュ材料よりも伸縮しない材料(例えば、熱可塑性ポリウレタン材料)から形成される、第二の支持部材と、を含む背面部材；
(c)前面部材と少なくとも部分的に係合する親指エレメント；
(d)前面部材および背面部材の少なくとも1つと係合する閉鎖系；ならびに/または
(e)前面部材および背面部材の少なくとも1つの手首領域に沿って延びる1つ以上の弾性構成要素、を含み得る。
【０００７】
少なくとも1つの支持部材は、背面部材の第一の側部から背面部材の反対側まで(例えば、背面部材の端から端であってもよい)、少なくとも一本の連続的な切れ目のない経路を形成し得る。これらの支持部材はまた、例えば、本体背面部分が最も外側の指背面部分に合わさる接合部または基底領域において部分的に重複し得る。
【０００８】
本発明のさらに追加の局面は、例えば上述したタイプのグローブおよび/またはその構成要素の作製方法に関する。そのような方法は：(a)第一の支持部材を、例えば熱および圧力、H/F溶接、R/F溶接、レーザ溶接等を用いて、グローブの背面部材の本体背面部分のメッシュ材料に融合する工程であって、該第一の支持部材が、融合される背面部材のメッシュ材料よりも伸縮しない材料から作られている、工程；(b)第二の支持部材を、例えば、熱および圧力、H/F溶接、R/F溶接、レーザ溶接等を用いて、本体背面部分のメッシュ材料に融合する工程であって、該第二の支持部材が、融合される背面部材のメッシュ材料よりも伸縮しない材料から作られている、工程；(c)背面部材を、グローブの前面部材と係合させる工程；(d)親指エレメントを、前面部材と少なくとも部分的に係合させる工程；(e)閉鎖系を、前面部材および背面部材の少なくとも1つと係合させる工程；ならびに/または(f)1つ以上の弾性構成要素を、前面部材および背面部材の少なくとも1つの手首領域に沿って係合させる工程、の1つ以上を含み得る。支持部材が2つの場合について上記したが、本発明から逸脱することなく、1つの支持部材の場合も含めてあらゆる望ましい数の支持部材を背面部材に融合させることができる。
【０００９】
［本発明１００１］
手のひらカバー部分と、該手のひらカバー部分から延びる4つの指前面部分とを含む前面部材であって、該4つの指前面部分が、人差し指前面部分、最も外側の指前面部分、および中間にある2つの指前面部分を含み、かつ天然皮革または合成皮革材料から形成される、前面部材；ならびに
該前面部材と係合して手の甲を覆う背面部材であって、
手のひらカバー部分の反対側に位置する本体背面部分と、
該本体背面部分から延び、かつ該4つの指前面部分の反対側に位置する4つの指背面部分であって、該4つの指背面部分が、人差し指背面部分、最も外側の指背面部分、および中間にある2つの指背面部分を含み、かつ該本体背面部分および4つの指背面部分がメッシュ材料から作られる、4つの指背面部分と、
該背面部材のメッシュ材料に融合し、かつ背面部材の指関節カバー部分にほぼ沿って延びる第一の支持部材であって、融合される背面部材のメッシュ材料よりも伸縮しない材料から形成される、第一の支持部材と、
該背面部材のメッシュ材料に融合し、かつ最も外側の指背面部分の基底領域から最も外側の指背面部分の反対側にある背面部材の側部に近接する領域まで延びる第二の支持部材であって、融合される背面部材のメッシュ材料よりも伸縮しない材料から形成される、第二の支持部材とを含む、背面部材
を含む、グローブ。
［本発明１００２］
前記前面部材と少なくとも部分的に係合する親指エレメントであって、該親指エレメントの内側部分が天然皮革または合成皮革材料から形成され、かつ該親指エレメントの外側部分がメッシュ材料から形成される、親指エレメントをさらに含む、本発明１００１のグローブ。
［本発明１００３］
前記前面部材および前記背面部材の少なくとも1つと係合する閉鎖系であって、該閉鎖系が該前面部材および該背面部材の少なくとも1つと係合したフラップを含み、該フラップが面ファスナーの第一の部分を含み、かつ該面ファスナーの第二の部分が背面部材と係合している、閉鎖系をさらに含む、本発明１００１のグローブ。
［本発明１００４］
前記第一の支持部材の材料が熱可塑性ポリウレタン材料である、本発明１００１のグローブ。
［本発明１００５］
前記第二の支持部材の材料が熱可塑性ポリウレタン材料である、本発明１００１のグローブ。
［本発明１００６］
前記中間にある指前面部分の1つが、前記中間にある第一の指背面部分の1つと、第一のガセット部材により第一の側部で、かつ第二のガセット部材により第二の側部で係合する、本発明１００１のグローブ。
［本発明１００７］
人差し指前面部分の外側が、人差し指背面部分の外側と係合しており、
人差し指前面部分の内側が、人差し指背面部分の内側と、第一のガセット部材を介して係合しており、
中間にある第一の指前面部分の第一の側部が、中間にある第一の指背面部分の第一の側部と、第二のガセット部材により係合しており、
中間にある第一の指前面部分の第二の側部が、中間にある第一の指背面部分の第二の側部と、第三のガセット部材により係合しており、
中間にある第二の指前面部分の第一の側部が、中間にある第二の指背面部分の第一の側部と、第四のガセット部材により係合しており、
中間にある第二の指前面部分の第二の側部が、中間にある第二の指背面部分の第二の側部と、第五のガセット部材により係合しており、
最も外側の指前面部分の内側が、最も外側の指背面部分の内側と、第六のガセット部材により係合しており、かつ
最も外側の指前面部分の外側が、最も外側の指背面部分の外側と係合している、
本発明１００１のグローブ。
［本発明１００８］
前記人差し指前面部分の外側が前記人差し指背面部分の外側と直接係合し、かつ前記最も外側の指前面部分の外側が前記最も外側の指背面部分の外側と直接係合している、本発明１００１のグローブ。
［本発明１００９］
前記第二の支持部材が、背面部材の第一の端部から背面部材の反対側にある第二の端部にかけて少なくとも一本の切れ目のない経路を形成する、本発明１００１のグローブ。
［本発明１０１０］
前記第一の支持部材が、背面部材の第一の端部から背面部材の反対側にある第二の端部にかけて少なくとも一本の切れ目のない経路を形成する、本発明１００１のグローブ。
［本発明１０１１］
前記第一の支持部材と前記第二の支持部材とが部分的に重複する、本発明１００１のグローブ。
［本発明１０１２］
前記第一の支持部材および前記第二の支持部材が、本体背面部分と最も外側の指背面部分との接合部付近の領域で部分的に重複している、本発明１００１のグローブ。
［本発明１０１３］
手のひらカバー部分と、該手のひらカバー部分から延びる複数の指前面部分とを含む前面部材；ならびに
該前面部材と係合して手の甲を覆う背面部材であって、
手のひらカバー部分の反対側に位置する本体背面部分と、
該本体背面部分から延びる複数の指背面部分であって、該本体背面部分および複数の指背面部分がメッシュ材料から作られる、複数の指背面部分と、
該背面部材のメッシュ材料に融合し、かつ背面部材の第一の側部から背面部材の反対側にある第二の側部まで延びる第一の支持部材であって、融合される背面部材のメッシュ材料よりも伸縮しない材料から形成される、第一の支持部材と、
該背面部材のメッシュ材料に融合し、かつ背面部材の第一の側部から背面部材の反対側にある第二の側部まで延びる第二の支持部材であって、融合される背面部材のメッシュ材料よりも伸縮しない材料から形成される、第二の支持部材とを含む、背面部材
を含む、グローブ。
［本発明１０１４］
前記第一の支持部材の材料が熱可塑性ポリウレタン材料である、本発明１０１３のグローブ。
［本発明１０１５］
前記第二の支持部材の材料が熱可塑性ポリウレタン材料である、本発明１０１３のグローブ。
［本発明１０１６］
前記第二の支持部材が、背面部材の第一の端部から背面部材の反対側にある第二の端部にかけて少なくとも一本の切れ目のない経路を形成する、本発明１０１３のグローブ。
［本発明１０１７］
前記第一の支持部材が、背面部材の第一の端部から背面部材の反対側にある第二の端部にかけて少なくとも一本の切れ目のない経路を形成する、本発明１０１３のグローブ。
［本発明１０１８］
前記第一の支持部材と前記第二の支持部材とが部分的に重複する、本発明１０１３のグローブ。
［本発明１０１９］
前記第一の支持部材および前記第二の支持部材が、本体背面部分と最も外側の指背面部分との接合部付近の領域で部分的に重複している、本発明１０１３のグローブ。
［本発明１０２０］
手のひらカバー部分と、該手のひらカバー部分から延びる複数の指前面部分とを含む前面部材； 
該前面部材と係合して手の甲を覆う背面部材であって、
手のひらカバー部分の反対側に位置する本体背面部分と、
該本体背面部分から延びる複数の指背面部分であって、該本体背面部分および複数の指背面部分がメッシュ材料から作られる、複数の指背面部分と、
該背面部材のメッシュ材料に融合し、かつ背面部材の第一の側部から背面部材の反対側にある第二の側部まで延びる第一の支持部材であって、融合される背面部材のメッシュ材料よりも伸縮しない材料から形成される、第一の支持部材と、
該背面部材のメッシュ材料に融合し、かつ背面部材の第一の側部から背面部材の反対側にある第二の側部まで延びる第二の支持部材であって、背面部材のメッシュ材料よりも伸縮しない材料から形成される、第二の支持部材とを含む、背面部材；ならびに
融合している前面部材と少なくとも部分的に係合している親指エレメント
から本質的になる、グローブ。
［本発明１０２１］
前記親指エレメントの外側部分がメッシュ材料から形成される、本発明１０２０のグローブ。
［本発明１０２２］
前記第一の支持部材の材料が熱可塑性ポリウレタン材料である、本発明１０２０のグローブ。
［本発明１０２３］
前記第二の支持部材の材料が熱可塑性ポリウレタン材料である、本発明１０２０のグローブ。
［本発明１０２４］
前記指前面部分の少なくとも1つが前記指背面部分の少なくとも1つと、第一のガセット部材により第一の側部で、かつ第二のガセット部材により第二の側部で係合する、本発明１０２０のグローブ。
［本発明１０２５］
前記第二の支持部材が、背面部材の第一の端部から背面部材の反対側にある第二の端部にかけて少なくとも一本の切れ目のない経路を形成する、本発明１０２０のグローブ。
［本発明１０２６］
前記第一の支持部材が、背面部材の第一の端部から背面部材の反対側にある第二の端部にかけて少なくとも一本の切れ目のない経路を形成する、本発明１０２０のグローブ。
［本発明１０２７］
前記第一の支持部材と前記第二の支持部材とが部分的に重複する、本発明１０２０のグローブ。
［本発明１０２８］
前記第一の支持部材および前記第二の支持部材が、本体背面部分と最も外側の指背面部分との接合部付近の領域で部分的に重複している、本発明１０２０のグローブ。
［本発明１０２９］
手のひらカバー部分と、該手のひらカバー部分から延びる複数の指前面部分とを含む前面部材； 
該前面部材と係合して手の甲を覆う背面部材であって、
手のひらカバー部分の反対側に位置する本体背面部分と、
該本体背面部分から延びる複数の指背面部分であって、該本体背面部分および複数の指背面部分がメッシュ材料から作られる、複数の指背面部分と、
該背面部材のメッシュ材料に融合し、かつ背面部材の第一の側部から背面部材の反対側にある第二の側部まで延びる第一の支持部材であって、融合される背面部材のメッシュ材料よりも伸縮しない材料から形成される、第一の支持部材と、
該背面部材のメッシュ材料に融合し、かつ背面部材の第一の側部から背面部材の反対側にある第二の側部まで延びる第二の支持部材であって、融合される背面部材のメッシュ材料よりも伸縮しない材料から形成される、第二の支持部材とを含む、背面部材； 
該前面部材と少なくとも部分的に係合している親指エレメント；ならびに
該前面部材および該背面部材の少なくとも1つと係合している閉鎖系
から本質的になる、グローブ。
［本発明１０３０］
前記閉鎖系が、前記前面部材および前記背面部材の少なくとも1つと係合した面ファスナーの第一の部分と、該背面部材と係合した面ファスナーの第二の部分とを含むフラップを含む、本発明１０２９のグローブ。
［本発明１０３１］
前記親指エレメントの外側部分がメッシュ材料から形成される、本発明１０２９のグローブ。
［本発明１０３２］
前記第一の支持部材の材料が熱可塑性ポリウレタン材料である、本発明１０２９のグローブ。
［本発明１０３３］
前記第二の支持部材の材料が熱可塑性ポリウレタン材料である、本発明１０２９のグローブ。
［本発明１０３４］
前記第二の支持部材が、背面部材の第一の端部から背面部材の反対側にある第二の端部にかけて少なくとも一本の切れ目のない経路を形成する、本発明１０２９のグローブ。
［本発明１０３５］
前記第一の支持部材が、背面部材の第一の端部から背面部材の反対側にある第二の端部にかけて少なくとも一本の切れ目のない経路を形成する、本発明１０２９のグローブ。
［本発明１０３６］
前記第一の支持部材と前記第二の支持部材とが部分的に重複する、本発明１０２９のグローブ。
［本発明１０３７］
前記第一の支持部材および前記第二の支持部材が、本体背面部分と最も外側の指背面部分との接合部付近の領域で部分的に重複している、本発明１０２９のグローブ。
［本発明１０３８］
手のひらカバー部分と、該手のひらカバー部分から延びる複数の指前面部分とを含む前面部材； 
該前面部材と係合して手の甲を覆う背面部材であって、
手のひらカバー部分の反対側に位置する本体背面部分と、
該本体背面部分から延びる複数の指背面部分であって、該本体背面部分および複数の指背面部分がメッシュ材料から作られる、複数の指背面部分と、
該背面部材のメッシュ材料に融合し、かつ背面部材の第一の側部から背面部材の反対側にある第二の側部まで延びる第一の支持部材であって、融合される背面部材のメッシュ材料よりも伸縮しない材料から形成される、第一の支持部材と、
該背面部材のメッシュ材料に融合し、かつ背面部材の第一の側部から背面部材の反対側にある第二の側部まで延びる第二の支持部材であって、融合される背面部材のメッシュ材料よりも伸縮しない材料から形成される、第二の支持部材とを含む、背面部材； 
前面部材と少なくとも部分的に係合している親指エレメント；ならびに
手首開口領域に沿って延びる、該前面部材および該背面部材の少なくとも1つと係合した少なくとも1つ弾性構成要素
から本質的になる、グローブ。
［本発明１０３９］
前記親指エレメントの外側部分がメッシュ材料から形成される、本発明１０３８のグローブ。
［本発明１０４０］
前記第一の支持部材の材料が熱可塑性ポリウレタン材料である、本発明１０３８のグローブ。
［本発明１０４１］
前記第二の支持部材の材料が熱可塑性ポリウレタン材料である、本発明１０３８のグローブ。
［本発明１０４２］
前記第二の支持部材が、背面部材の第一の端部から背面部材の反対側にある第二の端部にかけて少なくとも一本の切れ目のない経路を形成する、本発明１０３８のグローブ。
［本発明１０４３］
前記第一の支持部材が、背面部材の第一の端部から背面部材の反対側にある第二の端部にかけて少なくとも一本の切れ目のない経路を形成する、本発明１０３８のグローブ。
［本発明１０４４］
前記第一の支持部材と前記第二の支持部材とが部分的に重複する、本発明１０３８のグローブ。
［本発明１０４５］
前記第一の支持部材および前記第二の支持部材が、本体背面部分と最も外側の指背面部分との接合部付近の領域で部分的に重複している、本発明１０３８のグローブ。
［本発明１０４６］
手のひらカバー部分と、該手のひらカバー部分から延びる複数の指前面部分とを含む前面部材； ならびに
該前面部材と係合して手の甲を覆う背面部材であって、
手のひらカバー部分の反対側に位置する本体背面部分と、
該本体背面部分から延びる複数の指背面部分であって、該本体背面部分および複数の指背面部分がメッシュ材料から作られる、複数の指背面部分と、
該背面部材のメッシュ材料に融合し、かつ背面部材の第一の側部から背面部材の反対側にある第二の側部まで延びる第一の支持部材であって、融合される背面部材のメッシュ材料よりも伸縮しない材料から形成される、第一の支持部材とを含む、背面部材
を含む、グローブ。
［本発明１０４７］
第一の支持部材を、グローブの背面部材の本体背面部分のメッシュ材料に融合する工程であって、該背面部材が、本体背面部分から延びるメッシュ材料から作られた複数の指背面部分をさらに含み、かつ該第一の支持部材が、融合される背面部材のメッシュ材料よりも伸縮しない材料から作られている、工程；
第二の支持部材を、背面部材の本体背面部分のメッシュ材料に融合する工程であって、該第二の支持部材が、融合される背面部材のメッシュ材料よりも伸縮しない材料から作られている、工程；および
該背面部材を、手のひらカバー部分と該手のひらカバー部分から延びる複数の指前面部分とを含むグローブの前面部材と係合させる工程
を含む、グローブの形成方法。
［本発明１０４８］
親指エレメントを前記前面部材と少なくとも部分的に係合させる工程であって、該親指エレメントの内側部分が天然皮革材料または合成皮革材料から形成され、かつ該親指エレメントの外側部分がメッシュ材料から形成される、工程
をさらに含む、本発明１０４７の方法。
［本発明１０４９］
(a)面ファスナーの第一の部分を含むフラップを前記前面部材および前記背面部材の少なくとも1つと係合させることと、(b)該面ファスナーの第二の部分を背面部材と係合させることとを含む、閉鎖系を前記前面部材および前記背面部材の少なくとも1つと係合させる工程をさらに含む、本発明１０４７の方法。
［本発明１０５０］
前記第一の支持部材の材料が熱可塑性ポリウレタン材料である、本発明１０４７の方法。
［本発明１０５１］
前記第二の支持部材の材料が熱可塑性ポリウレタン材料である、本発明１０４７の方法。
［本発明１０５２］
1つ以上の弾性構成要素を、前記前面部材および前記背面部材の少なくとも1つの手首領域に沿って係合させる工程
をさらに含む、本発明１０４７の方法。
［本発明１０５３］
前記第二の支持部材が、背面部材の第一の端部から背面部材の反対側にある第二の端部にかけて少なくとも一本の切れ目のない経路を形成する、本発明１０４７の方法。
［本発明１０５４］
前記第一の支持部材が、背面部材の第一の端部から背面部材の反対側にある第二の端部にかけて少なくとも一本の切れ目のない経路を形成する、本発明１０４７の方法。
［本発明１０５５］
前記第一の支持部材および前記第二の支持部材が、それらが部分的に重複するように、背面部材と係合する、本発明１０４７の方法。
［本発明１０５６］
前記第一の支持部材および前記第二の支持部材が、それらが本体背面部分と最も外側の指背面部分との接合部付近の領域で部分的に重複するように、背面部材と係合する、本発明１０４７の方法。
［本発明１０５７］
前記第一の支持部材および前記第二の支持部材が、熱および圧力をかける単一の工程で、背面部材と係合する、本発明１０４７の方法。
［本発明１０５８］
第一の支持部材を、グローブの背面部材の本体背面部分のメッシュ材料に融合する工程であって、該背面部材が、本体背面部分から延びるメッシュ材料から作られた複数の指背面部分をさらに含み、かつ該第一の支持部材が、融合される背面部材のメッシュ材料よりも伸縮しない材料から作られている、工程；および
該背面部材を、手のひらカバー部分と該手のひらカバー部分から延びる複数の指前面部分とを含むグローブの前面部材と係合させる工程
を含む、グローブの形成方法。
［本発明１０５９］
手のひらの少なくとも一部を覆う前面部材；ならびに
該前面部材と係合した背面部材であって、
背面部材の指関節カバー部分の少なくとも一部に沿って位置し、かつメッシュ材料から作られた本体背面部分と、
本体背面部分のメッシュ材料に融合した支持部材であって、融合される本体背面部分のメッシュ材料よりも伸縮しない材料から形成され、かつ背面部材の指関節カバー部分に沿って延びる第一の部分と、最も外側の指関節の部分から、該最も外側の指関節の部分の反対側にある背面部材の側部に近接する領域に向かって延びる第二の部分とを含む、支持部材とを含む、背面部材
を含む、手を包むデバイス。
［本発明１０６０］
前記支持部材の前記第一の部分および前記第二の部分が、互いにおよびメッシュ材料に融合している個別の支持材料ピースから作られる、本発明１０５９の手を包むデバイス。
本発明のさらに追加の特徴および局面を、以下に詳細に説明する。
【図面の簡単な説明】
【００１０】
上述した本発明の概要、および以下の本発明の詳細な説明は、添付の図面と併せて考慮した場合によりよく理解でき、図面においては、同様の参照符号は、その参照符号が登場する様々な図面の全てにおいて同一または同様の要素を指す。
【図１Ａ】図1Aは、本発明によるグローブ構造の一つの実施例の前面の図を示す。
【図１Ｂ】図1Bは、本発明によるグローブ構造の一つの実施例の背面の図を示す。
【図１Ｃ】図1Cは、本発明によるグローブ構造の一つの実施例の親指側(内側)の図を示す。
【図１Ｄ】図1Dは、本発明によるグローブ構造の一つの実施例の外側の図を示す。
【図２】図2は、本発明によるグローブ構造の別の実施例の背面図を示す。
【図３】図3は、本発明によるグローブ構造のさらに別の実施例の背面図を示す。
【図４】図4は、本発明によるグローブ構造のさらに別の実施例の背面図を示す。
【図５】図5は、本発明によるグローブ構造の一つの実施例の別の背面図を示す。
【００１１】
読者は、添付の図面が、本発明の実施例によるグローブ構造の様々な例示の特徴、および特徴の組み合わせを図示することを考慮されたい。これらの図面は、必ずしも原寸に比例していない。
【発明を実施するための形態】
【００１２】
本発明の詳細な説明
以下の本発明によるグローブの様々な実施例の説明においては、それらの一部を構成する添付の図面を参照し、それらの図面においては本発明の局面が含まれ得る様々な例示の運動用グローブ構造が例示されている。本発明の範囲から逸脱することなく、その他の用途のためのその他のグローブ構造も提供され得ること、ならびに具体的に記載する構造および方法からその構造的および機能的な改変が行われ得ることが理解されよう。
【００１３】
I. 本発明の局面の概要
本発明の局面は、意図する用途のために十分な支持および構造は提供したままで、非常に軽量かつ柔軟性のあるグローブ、特に作業用または運動用グローブに関する。本発明のより具体的な特徴および局面を以下に詳細に記載する。
【００１４】
A. 本発明の実施例によるグローブ構造
上述したとおり、本発明の一部の局面は、運動用グローブ等のグローブに関する。本発明の少なくとも一部の実施例によるグローブ構造は、例えば：
(a)任意に天然または合成皮革から作られた、手のひらカバー部分、および該手のひらカバー部分から延びる最大4つの指前面部分(例えば、該最大4つの指前面部分は、人差し指前面部分、最も外側の指前面部分、および中間にある2つの指前面部分の1つ以上を含む)を含む前面部材；
(b)前面部材と係合して手の甲を覆う、メッシュ材料(例えば、伸縮性メッシュ)から作られた背面部材であって、
(i)手のひらカバー部分の反対側に位置する本体背面部分と、
(ii)該本体背面部分から延びる最大4つの指背面部分(例えば、最大4つの指背面部分は、人差し指背面部分、最も外側の指背面部分、および中間にある2つの指背面部分の1つ以上を含む)と、
(iii)背面部材のメッシュ材料に融合し、任意に背面部材の指関節カバー部分にほぼ沿って延びる第一の支持部材であって、融合される背面部材のメッシュ材料よりも伸縮しない材料(例えば、熱可塑性ポリウレタン材料)から形成される、第一の支持部材と、
(iv)背面部材のメッシュ材料に融合し、任意に最も外側の指背面部分の基底領域から最も外側の指背面部分の反対側にある背面部材の側部に近接する領域まで延びる第二の支持部材であって、融合される背面部材のメッシュ材料よりも伸縮しない材料(例えば、熱可塑性ポリウレタン材料)から形成される、第二の支持部材と、を含む背面部材；
(c)前面部材と少なくとも部分的に係合する親指エレメント(任意に、天然または合成皮革材料から形成される内側部分、およびメッシュ材料から形成される外側部分を有する)；
(d)前面部材および背面部材の少なくとも1つと係合する閉鎖系(例えば、面ファスナー、ホック(snap fastener)等)；ならびに/または
(e)前面部材および背面部材の少なくとも1つの手首領域に沿って(例えば、グローブに手を挿入する際に通る手首開口領域に沿って)延びる1つ以上の弾性構成要素
の1つ以上を含み得る。
【００１５】
第一および第二の支持部材の少なくとも1つは、背面部材の第一の側部(および任意に、背面部材の第一の端部)から該背面部材の反対側にある第二の側部(および任意に、背面の反対の端部)まで少なくとも一本の連続的な切れ目のない経路を形成し得る。これらの支持部材はまた、例えば、本体背面部分が最も外側の指背面部分に合わさる接合部または基底領域において部分的に重複し得る。しかし、本発明のいくつかの実施例においては、単一の支持部材が背面部材のメッシュ材料に融合されてもよい。
【００１６】
所望であれば、1つ以上の指前面部分の少なくとも一部の側部を、ガセット部材を介して、1つ以上の指背面部分の側部と連結してもよい。ガセット部材は、同じ材料から作られて、前面部材の一部とみなされてもよい。あるいはまた、所望であれば、これらの側部の少なくとも一部(例えば、人差し指および小指の外側)が互いと直接係合されてもよい。
【００１７】
本発明の少なくとも一部の実施例によるグローブ構造は、本質的な構成要素として、互いと係合した、上述したタイプの前面部材、背面部材、および親指エレメントのみを含む。本発明の別の実施例によるグローブ構造は、本質的な構成要素として、互いと係合した、上述したタイプの前面部材、背面部材、親指エレメント、および閉鎖系のみを含む。本発明のさらに別の実施例によるグローブ構造は、本質的な構成要素として、互いと係合した、上述したタイプの前面部材、背面部材、親指エレメント、および弾性構成要素のみを含む。さらに追加の実施例として、本発明の一部の実施例によるグローブ構造は、本質的な構成要素として、互いと係合した、上述したタイプの前面部材、背面部材、親指エレメント、閉鎖系、および弾性構成要素のみを含む。
【００１８】
B.本発明の実施例によるグローブ構造の作製方法 
本発明のさらなる局面は、グローブおよび/その様々な構成要素、例えば、上述した様々なタイプのものの作製方法に関する。本発明のもう一つの特定の局面は、グローブ構造の作製方法に関し、該方法は：(a)上述したタイプの第一の支持部材を、例えば熱および圧力、H/F溶接、R/F溶接、レーザ溶接等を用いて、(上述したタイプの)グローブの背面部材の本体背面部分のメッシュ材料に融合する工程であって、該第一の支持部材が、融合される背面部材のメッシュ材料よりも伸縮しない材料から作られている、工程；(b)上述したタイプの第二の支持部材を、例えば、熱および圧力、H/F溶接、R/F溶接、レーザ溶接等を用いて、本体背面部分のメッシュ材料に融合する工程であって、該第二の支持部材が、融合される背面部材のメッシュ材料よりも伸縮しない材料から作られている、工程；(c)背面部材を、上述したタイプのグローブの前面部材と係合させる工程；(d)上述したタイプの親指エレメントを、前面部材と少なくとも部分的に係合させる工程(親指エレメントの作製は、任意に、天然または合成皮革材料から形成された親指エレメントの内側部分を、メッシュ材料から形成された親指エレメントの外側部分と係合させる工程を含み得る)；(e)閉鎖系を、前面部材および背面部材の少なくとも1つと係合させる工程；ならびに/または(f)1つ以上の弾性構成要素を、前面部材および背面部材の少なくとも1つの手首領域(例えば、手首開口領域)に沿って係合させる工程、を1つ以上含む。様々な構成要素は、上述したあらゆる構造、配置、および/もしくは配向(ならびに/または以下に詳細に記載するあらゆる構造、配置、および/もしくは配向)を有し得る。支持部材が2つの場合について上記したが、本発明から逸脱することなく、1つの場合も含めてあらゆる望ましい数の支持部材を背面部材に融合させることができる。
【００１９】
支持部材は、例えば、熱および圧力をかけたり、H/F溶接、R/F溶接、レーザ溶接等による単一の工程で背面部材と係合され得るか、またはこれらの部材は、例えば、熱および圧力を個別にかける工程、個別の溶接工程等において、個別に背面部材に係合され得る。また、支持部材は、背面部材を前面部材と係合させる前か後のいずれかにおいて背面部材と係合され得る。本発明から逸脱することなく、あらゆる望ましい工程順が可能である。
【００２０】
上述した本発明の特徴、局面、構造、プロセス、および配置の概要を前提として、本発明による具体的な例示のグローブおよびそれらの作製方法のより詳細な説明を以下に記載する。
【００２１】
II.本発明による例示のグローブ構造の詳細な説明 
図面および以下の議論を参照すると、本発明による様々なグローブ構造およびその特徴が開示されている。図示および議論されているグローブ構造は、運動用グローブ(特に、ゴルフグローブ)であり、これらのグローブの様々な局面に関して開示する概念は、以下を含む(ただし、これらに限定されない)幅広い範囲の運動用グローブ構造に適用され得る：ゴルフグローブ、バッティンググローブ、サッカーグローブ、重量挙げグローブ、およびその他のスポーツのためのグローブ。さらに、本発明の少なくともいくつかの概念および局面が、ガーデニンググローブ、庭作業用グローブ、清掃用グローブ、作業用グローブ、およびグリップまたは手の保護を犠牲にすることなく軽量構造および通気性が望ましいその他のアクティビティのためのグローブを含む幅広い範囲の非運動用グローブに適用され得る。本発明の局面によるグローブは、完全な指サック(finger stall)(図示のとおり)を含んでいてもよいし、または指サックが部分的もしくは無くてもよい(この場合、例えば、着用者の指先がグローブから突き出る)。さらには、本明細書に開示する概念は、例えば、部分的グローブ、保護用ハンドシース(hand sheath)、手動および遠隔コントローラ、ビデオゲーム等のゲームをする際に使用する手を包むデバイス等のその他の手を包むデバイスまたは構造に適用され得る。従って、本発明は、本明細書に開示する厳密な態様に限定されず、全般的なグローブおよび手を包むデバイスにも適用され得る。従って、本発明は、本明細書に開示される厳密な態様に限定されず、全般的なグローブに適用され得る。
【００２２】
図1A〜1Dは、本発明による一例の運動用グローブ構造100の様々な図面を図示する。より具体的に、図1Aはグローブ100の前面図を示し、図1Bは背面図を示し、図1Cは親指側(内側)の図を示し、および図1Dは外側(小指側)の図を示す。図1Aに示すように、グローブ構造100の前面側は、手のひらカバー部分102a、および手のひらカバー部分102aから延びる四本の指前面部分104を含む前面部材102を含み、本実施例の該四本の指前面部分104は、人差し指前面部分104a、最も外側の指前面部分104d、ならびに中間にある2つの指前面部分104bおよび104cを含む。所望であれば、指の前面部分104は小さな穴106またはその他の開口(例えば、スリット等)を含んで、換気性および通気性を改善してもよい。この図解する実施例では、この前面部材102は、あらゆる望ましい材料から作られ得るが、天然皮革もしくは合成皮革材料(例えば、カブレッタ革、子牛の革等)、またはグリップ特性が改善されるその他のあらゆる望ましい材料から形成される。別の代替例としては、所望であれば、天然または合成皮革材料を、土台の繊維層(例えば、ポリエステル、レーヨン、綿等)に、例えば、パッチとして、前面の手のひら、指および/または親指上の所望の位置に適用してもよい。
【００２３】
また、手のひらカバー部分102aおよび指の前面部分104を含む本例示の構造100の前面部材102は、あらゆる望ましい構造および/または任意の数のピースまたは部分から作られてもよいが、単一ピースの皮革材料で構成され、これらの部分102aおよび104がグローブ構造100の前面部材102の全てまたは実質的に全てを構成する(親指カバー領域を除く)。換言すると、この例示の構造100において、単一ピースの手のひらカバー部分102aは着用者の手のひらの実質的に全てを覆い(例えば、手のひらの表面積の少なくとも90％)、指前面部分104a〜104dはそれぞれ、着用者の指の全てまたは実質的に全ての前面を覆う(例えば、指の前面の表面積の少なくとも90％)。
【００２４】
図1Aは、グローブ100が、前面部材102と少なくとも部分的に(例えば、図1Aに示す縫い合わせ線110に沿って)係合した親指エレメント108を含むことを示す。親指エレメント108の少なくとも前面部分108a(図1Aに図示)は、あらゆる望ましい材料から作られ得るが、この図解する実施例では、同じく天然皮革または合成皮革材料(例えば、カブレッタ革、子牛の革等)から形成されている。また、親指部108の前面部分108aは、あらゆる望ましい構造で作られ得るが、この図解する実施例では、単一ピースの皮革材料から構成される。この図解する構造では、前面部材102とのみ係合した親指エレメント108を示しているが、任意に、所望であれば、親指エレメント108の一部分はグローブ構造の背面部材と係合し得る。
【００２５】
図1Aはさらに、この例示のグローブ構造100の前面部材102の手首領域112(着用者の手を受け入れる開口部114付近)が弾性構成要素116を含んで、着用者に固定されぴったりと合うようにすることを示す。本発明から逸脱することなく、任意の数の弾性エレメントが弾性構成要素116に組み込まれ得る。
【００２６】
図1Bは、この例示のグローブ構造100の背面部材120を示す。背面部材120は、前面部材102と直接または間接的に係合し、着用者の手の甲を覆う。この図解する実施例において、背面部材120は、手のひらカバー部分102aの反対に位置する本体背面部分120a、および本体背面部分120aから延びかつ四本の指前面部分104の反対に位置する四本の指背面部分122を含む。着用者の手を受け入れる内部チャンバは、前面部材102と背面部材120との間で画定される。四本の指背面部分122は、人差し指背面部分122a、最も外側の指背面部分122d、ならびに中間にある2つの指背面部分122bおよび122cを含む。本体背面部分120aおよび四本の指背面部分122はメッシュ材料から作られる。メッシュ材料は、グローブ構造100の非常に軽量かつ通気性のある背面部分を提供する。一部の例において、メッシュ材料中の開口は、着用者の手が材料を通して目に見えるのに十分な大きさのものであり得る。
【００２７】
本体背面部分120aおよび指の背面部分122を含むこの例示のグローブ構造100の背面部材120は、あらゆる望ましい構造および/または任意の数のピースまたは部分から作られ得るが、単一ピースのメッシュ材料から構成され、これらの部分120aおよび122は、グローブ構造100の背面部材120の全てまたは実質的に全てを構成する。換言すると、この例示のグローブ構造100において、単一の本体背面部分120aは着用者の手の甲の実質的に全てを覆い(例えば、指を除く手の背面表面積の少なくとも90％)、指の背面部分122a〜122dはそれぞれ、着用者の指の背面の全てまたは実質的に全てを覆う(例えば、指の背面表面積の少なくとも90％)。
【００２８】
所望であれば、親指エレメント108は単一ピースであるか、または図1Aと併せて上述した皮革材料のような一種類の材料から作られ得る。しかし、あるいはまた、図1Bおよび1Cに示すように、この図解する実施例において、親指エレメント108は、例えば、背面部材120の大部分(または全体)を構成するメッシュ材料と同一または同様のメッシュ材料から作られた背面部分108bを含む。この図解する実施例示における親指部108の背面部分108bは、あらゆる望ましい構造からも作られ得るが、親指エレメント108の前面部分108aとなんらかの手法で(例えば、接着剤を介して、縫い合わせを介して、または縫製等によって)係合した単一ピースのメッシュ材料を構成する。任意に、所望であれば、親指エレメント108の少なくとも一部(例えば、背面部分108bの一部)がグローブ構造100の背面部材120と係合され得る(ただし、図解する本実施例においては、親指エレメント108全体が前面部材102と係合されている)。
【００２９】
図1Bは、さらに、この例示のグローブ構造100の背面部材120の手首領域124 (着用者の手を受け入れる開口部114付近にある)が弾性構成要素126を含んで、着用者に固定されぴったりと合うようにすることを示す。本発明から逸脱することなく、任意の数の弾性エレメントが弾性構成要素126に組み込まれ得る。弾性構成要素116および126は2つ以上の個別のピースを構成し得るが(任意に、なんらかの手法で間隔を置く)、所望であれば、弾性構成要素116および126は、グローブ開口部スリット128の一方の側128aから他方の側128bまで連続的に延びる弾性材料からなる単一のバンドまたはストラップを構成し得る。別の選択肢としては、単一の弾性ストラップまたはバンドが、前面部材102に沿って、親指側を周り、背面部材120に沿って、グローブ100の第一の側部(外側)にある前面部材および背面部材の外側接合部から端部128bまで延びていてもよく、第二の弾性ストラップまたはバンドが、グローブ100の外側接合部側から端部128aまでの短い距離にわたって延びていてもよい。
【００３０】
上記したように、本実施例のグローブ構造100は、グローブ開口部の大きさを大きくするグローブ開口部スリット128を含んで、着用者の手が出し入れし易いようにしてもよい。グローブ開口部スリット128は、前面部材102および背面部材120の少なくとも1つと係合され得る閉鎖系130により閉じられる。本発明から逸脱することなく、あらゆる望ましい種類の閉鎖系130が設けられ得るが、この図解する実施例示においては、閉鎖系130は、前面部材102および背面部材120の少なくとも1つと係合したフラップ132を含み、該フラップ132は面ファスナー134の第一の部分134aを含む。この例示の構造の面ファスナー134の第二の部分134bは、背面部材120と係合している。図1Bに示すように、弾性バンド172は、(a)前面部材102と背面部材120とが合わさる外側の継ぎ目から、(b)フラップ132まで延びて、着用者の手の周りに沿ってフラップ132を引っ張ってグローブの密着を締めることができる。
【００３１】
所望であれば、前面部材102および背面部材120は、例えば、縫い合わせ、縫製またはその他の技術によって、例えば、グローブ100の脇に沿って互いと直接連結されてもよい。しかし、この接続は、本発明の一部の例においては、グローブ構造100の少なくとも一部の領域において間接的であってもよい。例えば、指の前面部分104a〜104dの少なくともいくつかは、指の背面部分122a〜122dの少なくともいくつかと、側端部において、例えば、ガセット部材によって係合し得る。図1A〜1Dは、この図解する実施例示の構造100において、指部分104および122が以下のように接続されていることを示す：
(a)人差し指前面部分104aの外側が、人差し指背面部分122aの外側と、例えば、縫製された継ぎ目において直接係合しており(図1Cを参照)；
(b)人差し指前面部分104aの内側が、人差し指背面部分122aの内側と、第一のガセット部材140aを介して、例えば、縫製された継ぎ目において係合しており(図1Aおよび1Bを参照)；
(c)中間にある第一の指前面部分104bの第一の側部が、中間にある第一の指背面部分122bの第一の側部と、第二のガセット部材140bにより、例えば、縫製された継ぎ目において係合しており(図1Cを参照)；
(d)中間にある第一の指前面部分104bの第二の側部が、中間にある第一の指背面部分104bの第二の側部と、第三のガセット部材140cにより、例えば、縫製された継ぎ目において係合しており(図1A、1B、および1Dを参照)；
(e)中間にある第二の指前面部分104cの第一の側部が、中間にある第二の指背面部分122cの第一の側部と、第四のガセット部材140dにより、例えば、縫製された継ぎ目において係合しており(図1A〜1Cを参照)；
(f)中間にある第二の指前面部分104cの第二の側部が、中間にある第二の指背面部分122cの第二の側部と、第五のガセット部材140eにより、例えば、縫製された継ぎ目において係合しており(図1Aおよび1Dを参照)；
(g)最も外側の指前面部分104dの内側が、最も外側の指背面部分122dの内側と、第六のガセット部材140fにより、例えば、縫製された継ぎ目において係合しており(図1Aおよび1Bを参照)；かつ
(h)最も外側の指前面部分104dの外側が、最も外側の指背面部分122dの外側と、例えば、縫製された継ぎ目において直接係合している(図1Dを参照)。
【００３２】
本明細書および記載の目的においては、このタイプのガセット部材は、前面部材102の任意の部分として考慮してもよい(そして、前面部材102と同じ材料から作られ得る)。所望であれば、第一のガセット部材140aおよび第二のガセット部材140bは、単一の一体構造として形成され得る；第三のガセット部材140cおよび第四のガセット部材140dは、単一の一体構造として形成され得る；ならびに/または第五のガセット140e部および第六のガセット部材140fは、別の単一の一体構造として形成され得る(それにより、例えば、単一ピースのガセット材料が、指部分の間にある谷間領域142に延びる)。さらに、あるいはまた、所望であれば、第二のガセット部材140bおよび第三のガセット部材140cは、単一の一体構造として形成され得る；ならびに/または第四のガセット部材140dおよび第五のガセット部材140eは、単一の一体構造として形成され得る(それにより、例えば、単一ピースのガセット材料が、指先領域に延びる)。別の例として、所望であれば、ガセット部材140a〜140fの全てが単一の一体構造として形成され得る。
【００３３】
所望であれば、グローブ100の隣接する指の間にある1つ以上の谷間領域142は、開口部を含んで、例えば、グローブの密着度、柔軟性、および通気性をさらに改善してもよい。
【００３４】
この図解する実施例のグローブ構造100は、背面部材120に沿って延びる2つの支持部材150および160をさらに含んで、着用者にさらなる支持およびより固定された密着度をもたらす。図1B〜1Dに示すように、第一の支持部材150は、背面部材120のメッシュ材料と係合し、背面部材120の指関節カバー部分にほぼ沿って延びる。第二の支持部材160は、背面部材120のメッシュ材料と係合し、最も外側の指背面部分122dの基底領域(例えば、最も外側の指背面部分122dが本体の背面部分120aと合わさる部分)から、背面部材120の反対の側部まで延びる。第一および第二の支持部材150、160は、背面部材120のメッシュ材料と、それらの長手方向の少なくとも一部に沿って「融合接着」され得る。本明細書で使用する「融合接着」または「融合」という用語は、熱および圧力をかけること、高周波放射および圧力に曝らすこと、無線周波および圧力に曝すこと、レーザ放射および圧力に曝すこと等により、融合接着される部分の少なくとも大部分において接着剤を使用することなく、パーツが互いと接着されることを意味する。所望であれば、少量の接着剤を使用して、例えば、融合接着工程の前に、様々なパーツを互いに対して所定の位置に仮止め、および/または保持してもよい。このような方法において、接着剤は、支持部材150、160とメッシュ材料との間の重複領域の10％未満に適用することが好ましい。この図解する実施例においては2つの支持部材150および160が示されているが、本発明から逸脱することなく、1つの支持部材を含めてあらゆる望ましい数の支持部材がグローブ構造に取り入れられ得る(図5を参照)。本発明によるその他の代替的な例示の構造においては、支持部材150、160の少なくとも1つが、背面部材120および/または互いと、接着剤またはセメントを介して、係合され得る。
【００３５】
背面部材120のメッシュ材料および支持部材150および160の材料は、層の間に接着剤またはセメントを必要とすることなく、これらの材料が互いと融合接着するように選択され得る(ただし、上記したように、融合接着工程を行う前に、パーツの相対的な配置を維持するためにいくらかの接着剤またはセメントが使用され得る)。いくつかのより具体的な例として、支持部材150および/または160は、熱可塑性ポリウレタンフィルム材料(例えば、0.05〜0.25 mmの厚み、一部の例においては0.1 mmの厚み)、例えば、Ding Zing Chemical Product Company、Ltd.、Kaohsiung、台湾から市販されているTPUフィルムおよびホットメルトフィルム製品等であり得る。任意に、少なくとも支持部材150、160の下にある背面部材120のメッシュ材料は、TPU材料または別の繊維メッシュ材料(任意に、TPUまたはこの融合接着プロセスに適合した他の材料を被覆または含浸された材料から形成され、一部の例においては、約0.4 mmの厚みのメッシュ材料)等、支持部材150および/または160のTPUまたは他のホットメルトフィルム製品と融合接着する材料から形成され得る。熱および圧力により、材料120、150および160が部分的に一緒に溶融して、互いと係合する(例えば、フィルム支持部材150、160はメッシュ120内に溶ける)。
【００３６】
本発明による少なくとも一部の例示のグローブ構造においては、支持部材150および/または160の少なくとも1つ(そして、好ましくは支持部材の両方または全て)の材料が、融合している位置にある背面部材120のメッシュ材料よりも伸縮しなくてもよい。いくつかのさらにより具体的な例としては、支持部材の材料は、融合される位置において下にある背面部材120のメッシュ材料の50％未満の伸縮性を有してもよく、いくつかの例においては。40％未満の伸縮性またはさらには30％未満の伸縮性を有していてもよい。
【００３７】
支持部材150および/もしくは160(またはそれ以上)の様々なデザインもしくは配置が、本発明から逸脱することなく可能である。いくつかの例示の構造100においては、図1B〜1Dに示すように、支持部材150および/または160の少なくとも1つが、背面部材120の一方の側から背面部材120の他方の側(そして、任意に、背面部材120の一方の極側端部から、背面部材120の他方の極側端部)に、少なくとも一本の連続的な切れ目のない経路として延びる。図1B〜1Dに示す例示の構造においては、支持部材150および160の両方が、背面部材120の一方の側(例えば、一方の極側端部)から、本体背面部分120aを通って、背面部材120の反対の側部(例えば、反対側の極側端部)まで延びる。
【００３８】
また、複数の支持部材が存在する場合には、支持部材は少なくとも部分的に互いと重複する。例えば、図1Bおよび1Dに示すように、この図解する実施例においては、背面体部材120の本体背面部分120aと最も外側の指背面部分122dとの間の接合部に近接した領域において、一方の支持部材160が他方の支持部材150と重複する。この重複構造により、スウィング動作(例えば、ゴルフスウィング)の間に相当量の圧力または力がかかるこの外側端部位置において、伸縮性がより小さく、密着性がより安定し、支持がより大きくなる。
【００３９】
本発明の少なくとも一部の例によるゴルフグローブ構造の作製方法を、以下により詳細に記載する。この手順の融合接着部分は、例えば、米国特許出願公報第2011/0088282号および同第2011/0088285号(これらの出願は全体的に参照により本明細書に組み入れられる)に全般的に記載されている手順に従ってもよい。
【００４０】
この例示の手順においては、まず、グローブ100の前面部材102が、例えば、天然または合成皮革材料から切り抜かれ得る。手のひらカバー部分102aおよび複数の指前面部分104(任意に、四本の指前面部分104a〜104d)を含む前面部材102は、互いと連結した複数のピースからも作られ得るが、この図解する実施例示のグローブ構造100においては、単一ピースの皮革材料として提供され得る。任意に、親指エレメント108の前面部分108aおよび/またはガセット部材104a〜104f(もしあれば)の少なくともいくつかはこの同じ材料から(例えば、1つ以上の個別のパーツとして)切り抜かれ得る。切断は、本発明から逸脱することなく、打抜き技術、レーザ切断技術、手動切断技術等の使用を含むあらゆる望ましい手法で達成され得る。
【００４１】
同様に、グローブ100の背面部材120は、例えば、メッシュ材料から切り抜かれ得る。本体背面部分120aおよび複数の指背面部分122(任意に 四本の指背面部分122a〜122d)を含む背面部材120は、互いと連結された複数のピースからも作られ得るが、この図解する実施例示のグローブ構造100においては、単一ピースのメッシュ材料として提供され得る。任意に、親指エレメント108の背面部分108bおよび/またはガセット部材104a〜104f(もしあれば)の少なくともいくつかはこの同じメッシュ材料から(例えば、個別のパーツとして)切り抜かれ得る。切断は、本発明から逸脱することなく、打抜き技術、レーザ切断技術、手動切断技術等の使用を含むあらゆる望ましい手法で達成され得る。
【００４２】
次に、上述したような、TPUフィルムまたはホットメルトフィルム材料等の所望の支持材料供給から支持部材150、160が切り抜かれ得る。複数の支持部材が存在する場合、それらは本発明から逸脱することなく同じまたは異なる支持材料から構成されることができ、同じまたは異なる伸縮性特性を有し得る。切断は、本発明から逸脱することなく、打抜き技術、レーザ切断技術、手動切断技術等の使用を含むあらゆる望ましい手法で達成され得る。
【００４３】
閉鎖系130、端部縁取り170、および弾性部126、172等のその他のパーツ用の材料は、あらゆる望ましい由来源から作製してもまたは得てもよく、例えば、適切な由来源材料の大きめのピースから切り抜いてもよい。
【００４４】
背面部材120および支持部材150、160のパターンは、部材の端部を超えて延びるダーツ、タブ、またはフラップを含んでもよく、これらのダーツ、タブ、またはフラップはそれらの中に画定される貫通穴を含んでもよい。背面部材120は、タブ中の穴が組立治具に設けられたピンの上に配置されるようにして、組立治具上に平坦に載置されてもよい。支持部材150、160も、例えば、それらのタブ中の穴が組立治具に設けられたピンの上に配置されるようにして、背面部材120上に重なる組立治具上に平坦に載置されてもよい。所望であれば、背面部材120および/または支持部材150、160上の治具載置穴を含むタブは、最終的なグローブ組立ての前に切り抜かれてもよいし、および/または最終的に組み立てられたグローブ構造100の内部チャンバ内に隠されてもよい。あるいはまた、所望であれば、背面部材120および/または支持部材150、160の少なくともいくつかの貫通穴は、これらの構成要素のタブ以外の場所に設けられ得る。必要または所望であれば、例えば、1つ以上の小さい接着剤領域、数針、機械的コネクタ等により、支持部材150、160は背面部材120に「仮縫い」され得る。このタイプの仮縫いを使用する場合には、融合する表面積の10％未満に適用されることが好ましい。
【００４５】
グローブ100の背面用の少なくともいくつかの所望のパーツ(例えば、背面部材120；所望の支持部材150、160を含む)を組立治具に完全に装着した後、組立治具を融合アセンブリまたはチャンバに入れて、パーツを互いと融合接着させる。例として、組立治具を加熱された圧盤(platen)の間に置いた後、組立治具上の層を互いと圧着させてもよい。その後、十分な熱および圧力を層にかけて、支持部材150、160のTPUまたはホットメルト材料を少なくとも部分的に融解させ、これらの支持部材150、160を背面部材120のメッシュ材料に融合接着させて、(例えば、背面部材120のメッシュ材料、およびあらゆる望ましい支持部材150、160を単一の複合パーツとして含む)複合背面部材を形成する。同じく、同様の融合接着工程(同じまたは異なる融合接着プロセス)において、あらゆる望ましい支持部材が、親指エレメント108および/または前面部材102に適用され得る。
【００４６】
これらのタイプの手順および材料を使用した融合接着は、例えば、上記した米国特許出願公報第2011/0088282号および同第2011/0088285号により詳細に記載されている。所望であれば、治具の使用は省略でき、非固定条件下で材料に対してホットプレス工程を行うか、または別の手法で固定され得る。
【００４７】
単一の工程で行うように上述したが、所望であれば、複数の支持部材が存在する場合、熱および圧力をかける複数の個別の工程において、支持部材が背面部材120および/または互いと(例えば、重複領域において)係合されてもよい。また、熱をかけるよりも、層を高周波放射、無線周波放射、レーザ放射に曝露するか、または融合接着技術において公知かつ使用されているその他の手法において融合接着を行うことができる。
【００４８】
グローブ100の様々な構成要素が作製され、複合背面部材/支持部材が作製された後、様々なパーツを互いと係合してもよい。これらのパーツはあらゆる望ましい順序で互いと係合できるが、以下に様々なグローブパーツを組み立てる一つの手法を簡単に説明する：
(a)指の前面部分104a〜104dは、例えば、縫製または縫い合わせによりガセット部材140a〜140fと係合され得る(上記したように、本明細書において使用する場合、この複合パーツは前面部材として考慮され得る)；
(b)親指前面部分108aは、例えば、縫製または縫い合わせにより親指背面部分108bと係合され得る(この複合パーツは親指エレメント108と考慮され得る)；
(c)複合親指エレメント108は、例えば、縫製または縫い合わせにより前面部材102と係合され得る；
(d)弾性ストラップ172および端部縁取り170は、例えば、縫製または縫い合わせによりフラップ132と係合され得る；
(e)フラップ部132(面ファスナー134の部分134aを含む)は、手を受け入れるスロット128の外側端部において、例えば、縫製または縫い合わせにより背面部材120と係合され得る；
(f)面ファスナー134のもう1つの部分134bは、手を受け入れるスロット128の反対の側部において、例えば、縫製または縫い合わせにより、背面部材120と係合され得る；
(g)複合背面部材120(それに融合接着された支持エレメント150、160を含む)および弾性ストラップ172は、例えば、縫製または縫い合わせにより、前面部材102(存在する全てのガセット140a〜140fを含む)と係合され得る；
(h)1つ以上の弾性バンド116、126は、例えば、縫製または縫い合わせにより、前面部材102および背面部材120の手首領域112および124の周りと係合され得る；かつ
(i)端部縁取り170は、例えば、縫製または縫い合わせにより、手を受け入れるスロット128および開口部の周りの前面部材102および背面部材120と係合され得る。
【００４９】
弾性ストラップ172は、閉鎖系130が着用者の手の周りで引っ張られて締めることができる。本発明から逸脱することなく、この手順は追加の工程を含んでいてもよく、追加のパーツがグローブ構造100に含まれていてもよく、様々な工程が組み合わせられてもよく、特定の工程を省略してもよく、および/または様々な工程の順序を変えてもよい。
【００５０】
本発明から逸脱することなく、グローブ構造およびその様々なパーツにおいて様々な変更が可能である。例えば、図2は、図1A〜1Dに示す構造100と同様の例示のグローブ構造200を図示しているが、グローブ構造200の支持部材250および260は若干異なる。より具体的には、図2に示すように、支持部材250および260は、同じく、背面部材120全体(例えば、一方から他方の側、および任意に、一方から他方の端部)にわたってほぼ延びるが、この例示の構造200の支持部材250および260は、その中に開口252、262が画定されている。背面部材120のメッシュ材料は、これらの開口252、262を通して露出する。本発明から逸脱することなく、あらゆる望ましい数の開口252、262、開口形状等が設けられ得る。特に、この例示の構造200における各支持部材250、260は、開口252、262が設けられるが、支持部材250、260の一方の端部から他方まで、任意に、背面部材120の一方の側または極端部から他方まで、少なくとも一本の連続的な切れ目のない経路を画定する。開口252、262の大きさおよび位置を制御および選択して、所望のレベルの支持および/もしくは伸縮抵抗を得るように、ならびに/またはグローブ200に対して所望の全体的な美的外観を得るようにしてもよい。例えば、所望であれば、支持部材250、260の1つ以上において、開口を法人名/商標名の形状、またはロゴの形状に開けてもよい。
【００５１】
別の例として、図3は、支持部材350、360が、図1A〜2に示すようなほぼ長方形のストライプの形態ではないグローブ構造300を示す。むしろ、この図解する実施例において、支持部材350、360は隣接または重複した円の形態を取っている(ただし、本発明から逸脱することなく、その他の形状または形状の組み合わせを設けてもよい)。本発明から逸脱することなく、あらゆる望ましい数の個別の円またはその他の形状等が設けられ得る。特に、この例示の構造300における支持部材350、360の重複する支持円(またはその他の形状)も同様に、支持部材350、360の一方の側から他方の側まで、そして任意に、背面部材120の一方の側または極端部から他方の側または極端部まで少なくとも一本の連続的な切れ目のない経路を画定している。隣接または重複している円または他の形状の大きさ、位置、および/または重複の程度を選択および配置して、所望のレベルの支持および/もしくは伸縮抵抗を得るように、ならびに/またはグローブ300の所望の全体的な美的外観を得るようにしてもよい。また、重複および隣接するように図示しているが、所望であれば、本発明による少なくともいくつかの例示の構造においては、少なくともいくつかの隣接する円または他の形状の間にギャップを設けてもよい(すなわち、所望であれば、背面部材120にわたる支持部材経路はその途中に1つ以上の中断があってもよい)。本発明から逸脱することなく、支持部材350、360の個々の円または他のエレメントは同じであっても、異なっていてもよい(例えば、異なる材料、異なる厚み、異なる伸縮抵抗、異なる大きさ等)。
【００５２】
特に、この例示の配置300において、支持部材経路350および支持部材経路360は、1つの共通円形エレメント370を共有する。この円形エレメント370は、単一の構成要素であり得るが、所望であれば、本発明から逸脱することなく、より厚みのあるTPUもしくはホットメルトフィルム材料から作られ得るか、および/または二層のTPUもしくはホットメルトフィルム材料から作られ得る。
【００５３】
図4は、本発明による別の例示のグローブ構造400を示す。このグローブ構造400は、図4の構造400においてはグローブ閉鎖系が省略されていること以外は、図2に示すグローブ構造200と同様である。例えば、手首開口部114周りにある、背面部材120のメッシュ材料および/または弾性構成要素116、126が十分に伸縮して、これ以上広い開口部(例えば、スロット128)を必要とすることなく着用者が手を挿入できる場合には、このような閉鎖系は省略され得る。図4の例示の構造400は、上部支持部材460が1つ以上の開口462を含んで、下部支持部材450がそこから露出され得ることをさらに示す。別の可能性のある代替例として、上部支持部材460を通る1つ以上の開口462は、下部支持部材450および背面部材120のメッシュ材料の両方が単一の開口部462から露出するのに適した位置に配置され得る。図2に関して上述したように、開口452、462の大きさおよび位置を選択および制御して、所望のレベルの支持および/もしくは伸縮抵抗を提供、ならびに/またはグローブ400に対して所望の全体的な美的外観を得るようにしてもよい。
【００５４】
図5は、上記例に記載した2つ以上の支持部材に対して単一の支持部材550を含む例示のグローブ構造500の背面図を示す。図示するように、グローブ構造500のあらゆる望ましい領域において支持および過剰な伸縮抵抗を提供するために、単一の支持部材550はあらゆる望ましい形状を有し得る。この図解する実施例において、単一の支持部材550は：(a)概して、背面部材120の一方の側から他方までの指関節ラインに沿い、および(b)概して、本体背面部分120aが最も外側の指背面部分122dと合わさる基底領域552から、最も外側の指背面部分122dの反対にある背面部材120の側部に近接する領域(例えば、人差し指122a側)まで延びる。所望であれば、この単一の支持部材550の特定の領域は、より厚くてもよく、別の材料をドープされてもよく、さもなくば改変されて様々な選択領域(例えば、本体背面部分120aが最も外側の指背面部分122dに合わさる領域552等)(例えば、図1A〜1Dの構造100において、個々の支持部材150および160が重複する領域)において追加の支持を提供してもよい。
【００５５】
図1A〜5に関して上述した様々な例示の構造において、全ての指の前面、および親指の前面は皮革材料から作られ、全ての指の背面、および親指の背面はメッシュ材料から作られた。これは必要条件ではない。例えば、所望であれば、親指および/または人差し指全体(例えば、親指前面108aおよび背面108b、ならびに/または人差し指前面104a、背面122a、およびガセット140a)が皮革材料から作られ得る。別の例として、所望であれば、人差し指背面122aの少なくとも上部(例えば、第一の大関節の上)が皮革材料から作られ得る(従って、ゴルフクラブを握った時に、グローブをしていない手の重なっている指がメッシュではなく皮革を主に触る)。本発明から逸脱することなく、メッシュおよび皮革材料の存在下でその他の変更が可能である。
【００５６】
また、本発明の図解する実施例において、支持部材150、160、250、260、350、360、450、460および550は、背面部材120のみと係合する。これもまた必要条件ではない。むしろ、所望であれば、本発明から逸脱することなく、支持部材150、160、250、260、350、360、450、460および550は、グローブの側部を周って、前面部材102と係合し得る/少なくとも部分的に重複し得る。従って、支持部材150、160、250、260、350、360、450、460および550は、背面部材120の極端部で終結する必要はない。所望であれば、支持部材150、160、250、260、350、360、450、460および550はまた、背面部材120の極端部までずっと延びる必要はない。
【００５７】
本発明の実施例によるグローブ構造においては、その他の選択肢が可能である。例えば、複数の支持部材が単一のグローブ上に設けられる場合(例えば、150、160；250、260；350、360；および450、460)、支持部材(またはその一部)は異なる色であってもよく、例えば、所望のまたは関心を引く美的デザインとしてもよい。例えば、色は、互いとまたは背面部材120のメッシュ材料、前面部材102等の色と対比していてもよい。追加の例として、色は、選手または運動(例えば、乳癌またはAIDS啓蒙活動)を支援する学校またはチームカラーに対応し得る。さらに別の例として、所望であれば、支持部材の一方または両方が、着色された透明または半透明材料のものであって、例えば、任意の重複領域において関心を引くような色の混ざり合いを提供してもよい。本発明から逸脱することなく、多種多様な色、色の組み合わせ、および/または重複パターンが得られる。
【００５８】
また、本明細書に記載する具体的な例示の構造は、メッシュ材料120の層、およびその上に1層以上の支持材料を含むが、本発明から逸脱することなくその他の構造も可能である。より具体的な例として、本発明の実施例による一部のグローブまたはその他の手を包むデバイス構造は、メッシュ材料120において支持部材とは反対側に(メッシュ材料120において支持部材とは反対面の上の少なくともいくつかの位置において)裏当て層を含んでいてもよい。裏当て層が1つ以上の位置に存在する場合には、心地よい感触、耐摩耗性、手の保護、暖かさ(または低い通気性)、さらなる支持、選択された位置におけるさらなる支持、他の構成要素を搭載するための支持等のあらゆる望ましい特性を得るように選択され得る。 
【００５９】
III. 結論
本発明は、様々な態様を参照しながら、上記および添付の図面に開示されている。しかし、開示が果たす目的は、本発明に関する様々な特徴および概念の例を提供することであり、本発明の範囲を限定するものではない。関連技術の当業者は、添付の請求の範囲に定義される本発明の範囲から逸脱することなく、上述した態様に対して多数の変更および改変が行われ得ることを認識するであろう。
【図１Ａ】
0005960344.tif 000002
【図１Ｂ】
0005960344.tif 000003
【図１Ｃ】
0005960344.tif 000004
【図１Ｄ】
0005960344.tif 000005
【図２】
0005960344.tif 000006
【図３】
0005960344.tif 000007
【図４】
0005960344.tif 000008
【図５】
0005960344.tif 000009